(57)【要約】【課題】針金等を挿入する余地がなくて、不正行為が行いにくいだけでなく、コスト高や遊技領域の縮小を招くことのない施錠装置を有するパチンコ遊技機を提供すること。【解決手段】施錠装置１００が、本体部材１０の前面側に形成されて前面側部材によって覆われる収納空間１１内に収納される施錠機構４０と、この施錠機構４０に本体部材１０に形成した開口部から進入して係合することにより施錠状態を形成し、解錠するためには施錠機構４０に対する解錠操作を必要とする爪部材２０と、この爪部材２０が前記施錠状態になったとき、本体部材１０の前記開口部を閉塞する閉塞部材と、を少なくとも備えたこと。【選択図】図６
2010273771.tif 000002
【特許請求の範囲】
【請求項１】
遊技盤が取り付けられる本体部材と、この本体部材の前面側に配置される前面側部材と、これらの前面側部材及び前記本体部材の施錠を行う施錠装置とを備えたパチンコ遊技機において、
前記施錠装置が、前記本体部材の前面側に形成されて前記前面側部材によって覆われる収納空間内に収納される施錠機構と、
この施錠機構に前記本体部材に形成した開口部から進入して係合することにより施錠状態を形成し、解錠するためには前記施錠機構に対する解錠操作を必要とする爪部材と、
この爪部材が前記施錠状態になったとき、前記本体部材の開口部を閉塞する閉塞部材と、
を少なくとも備えたことを特徴とするパチンコ遊技機の施錠装置。
【請求項２】
前記爪部材の爪ベースに、前記本体部材の開閉方向に向く面を形成したことを特徴とする請求項１に記載のパチンコ遊技機の施錠装置。
【発明の詳細な説明】
【技術分野】
【０００１】
本発明は、パチンコ遊技機の施錠装置に関し、特に、開閉軸を有する外枠部材に対して、本体部材及び前面側部材が開閉軸によって開閉可能とされているパチンコ遊技機のための施錠装置に関するものである。
【背景技術】
【０００２】
一般に、パチンコ遊技機は、これを遊技場（所謂ホール）において多数設置されるものであり、その設置を行うにあたっては、外枠部材を使用して行われる。図１９にも示すように、外枠部材には開閉軸が設けられていて、この開閉軸を利用して、所謂遊技盤が取り付けられる本体部材を、外枠部材に開閉可能に支持するようにしてある。また、本体部材の前面側には、上記開閉軸を利用して前面側部材も開閉自在に取り付けられるものであり、これらの外枠部材と本体部材、この本体部材と前面側部材とは、施錠装置によってその閉じ状態が維持されるようになっている。
【０００３】
この種のパチンコ遊技機において、外枠部材に対して本体部材が開くようにしなければならないのは、例えば、パチンコ球の供給トラブルが発生した場合に、当該パチンコ遊技機の前面側、つまり遊技者側からホールの店員等が本体部材を開いて、外枠部材の裏側の状態をチェックしたいからである。また、外枠部材に対して閉じられている本体部材に対して前面側部材が開くようにしなければならないのは、例えば、当該パチンコ遊技機の前面側から前面側部材を開いて、本体部材に取り付けた遊技盤上での釘や入賞口でのパチンコ球の引っ掛かりトラブルを解消したいからである。
【０００４】
これに対して、パチンコ遊技機の前面側から店員以外の者が前面側部材や本体部材を開くことができないようにしているのが「施錠装置」であり、この施錠装置は、店員が持っている鍵によってしか開錠できないものである。つまり、この施錠装置は、当該パチンコ遊技機に対する不正が行えないようにするものであり、種々な改良が施されてきているが、この施錠装置をターゲットにした不正行為を働こうとする者が未だに存在している。
【０００５】
特に、近年のホールでは、この種のパチンコ遊技機の間に「球貸し機」をサンドイッチ状に挟み込んで、パチンコ球の貸し出しが各パチンコ遊技機毎に行えるようにしてあり、これらの球貸し機とパチンコ遊技機との間には僅かな隙間が発生し易い。そして、各パチンコ遊技機の側面では、図２に示すように、閉じられた外枠部材、本体部材、及び前面側部材の境界部分が存在しているから、ここから上記の球貸し機とパチンコ遊技機との間の僅かな隙間から通した針金等を挿入して施錠装置に不正を働くという行為がなされる余地を残している。
【０００６】
このような施錠装置に対する不正行為を防止するためのパチンコ遊技機が、例えば特許文献１にて提案されている。
【先行技術文献】
【特許文献】
【０００７】
【特許文献１】特開２００８−１２５７７７号公報、要約
【発明の概要】
【発明が解決しようとする課題】
【０００８】
特許文献１には、「鍵による押込み動作と回転動作とを組み合わせることによってキーシリンダの回転による不正解錠を困難とし、また、リンク部材を直接的に動作させる不正解錠も困難とする、効果的に不正解錠を防止することができて安全性の高い枠体の施錠装置及びその施錠装置を有する遊技機を提供すること」を目的とした「パチンコ遊技機」が提案されているが、このパチンコ遊技機は、図２０にも示すように、「キーシリンダ３４の所定角度の回転を条件にキーシリンダ３４の少なくとも一部が鍵３７の鍵穴３４ａへの挿入方向に押込み可能とされるとともに、押込み状態でのみキーシリンダ３４の回転によってステー３６が往復動可能とされている」もので、その目的が達成できるものと思われる。
【０００９】
しかしながら、この特許文献１のパチンコ遊技機では、図２０に示すように、係止フック３６ｂが一体化されているステー３６に、側方に向けて大きく開口している「開口３６ａ」が形成されているため、この「開口３６ａ」からの針金の挿入が行い易くなっていて、十分な不正行為の防止が果たせないのではないかと考えられる。
【００１０】
勿論、この図２０に示したような「開口３６ａ」を無くすようにするために、特別な「カバー」によってこの「開口３６ａ」を覆うことも考えられるが、このようなカバーを用意することはコスト高を招くだけでなく、このカバーの存在によって本体部材の遊技盤の遊技領域が縮小されてしまうことが考えられる。
【００１１】
勿論、各部材の施錠状態を構成するために、多数の部品を使用したり、複数の爪部材を別々に解除するようにすることも、不正防止の上で考えられないことはないが、そのような複雑な構造にしてしまうと、当然のことながら、パチンコ遊技機のコスト高を招くだけでなく、設計の自由度を低下させて、遊技盤の遊技領域を縮小してしまうことになる。
【００１２】
そこで、本発明者等は、この種のパチンコ遊技機における施錠装置への不正行為がなしにくいようにするにはどうしたらよいか、について種々検討を重ねてきた結果、本発明を完成したのである。
【００１３】
すなわち、本発明の目的とするところは、針金等を挿入する余地がなくて、不正行為が行いにくいだけでなく、コスト高や遊技領域の縮小を招くことのない施錠装置を有するパチンコ遊技機を提供することにある。
【課題を解決するための手段】
【００１４】
以上の課題を解決するために、まず、請求項１に係る発明の採った手段は、
「遊技盤が取り付けられる本体部材と、この本体部材の前面側に配置される前面側部材と、これらの前面側部材及び前記本体部材の施錠を行う施錠装置とを備えたパチンコ遊技機において、
前記施錠装置が、前記本体部材に形成されて前記前面側部材によって覆われる収納空間内に収納される施錠機構と、
この施錠機構に前記本体部材の裏面側に形成した開口部から進入して係合することにより施錠状態を形成し、解錠するためには前記施錠機構に対する解錠操作を必要とする爪部材と、
この爪部材が前記施錠状態になったとき、前記本体部材の開口部を閉塞する閉塞部材と、
を少なくとも備えたことを特徴とするパチンコ遊技機の施錠装置」
である。
【００１５】
この請求項１の発明に係る施錠装置によれば、これを構成している施錠機構が、前記本体部材に形成されて前記前面側部材によって覆われる収納空間内に収納され、施錠状態において、前記爪部材が、前記本体部材に形成した開口部から前記施錠機構に進入して係合するのであるから、この施錠装置は、前記本体部材及び前面側部材の前後方向の厚さ範囲内に収まるものとなっている。そして、前記前面側部材によって覆われる収納空間は、後述する実施例におけるように、前記本体部材の前後方向の幅内に収まるものであってもよく、逆に、前記本体部材の前面側をほぼ平らなものとしておいて、この前面が平らな本体部材と、後面に突出部を形成した前記前面側部材とによって、前記前面側部材によって覆われる前記収納空間を形成することもできる。
【００１６】
また、この施錠装置では、前面側部材について、前記本体部材の収納空間を前方から覆う役割を果たさせるようにすればよいから、上述したように、前記施錠機構の形状が前記本体部材の前後方向の厚さ範囲内に収まるものとなっていることとも併せて、部品点数の増加を招くことがなくて、コストダウンを図ることができるものとなっているのである。
【００１７】
さらに、この施錠装置は、その施錠機構を、前記本体部材の前面側に形成した収納空間内に収納すればよいから、当該本体部材に取り付けられる前記遊技盤の遊技領域内に突出することはない。逆に言えば、本発明に係る施錠装置は、前記遊技盤の遊技領域を拡大することをも可能にするものである。
【００１８】
そして、この施錠装置は、前記爪部材が前記施錠状態になったとき、前記本体部材の開口部を閉塞する閉塞部材を有しているし、当該施錠装置を構成している前記施錠機構が、前記本体部材の前面側に形成された収納空間内に収納されるのであり、さらには前記収納空間の前面側は前記前面側部材によって覆われるのであるから、前記収納空間の周囲には、不正を行うための器具や道具を差し込めるような隙間は殆ど無い状態となる。つまり、当該施錠装置は、その主要部分を構成している前記施錠機構に対して不正を行うのを困難にし得るのである。
【００１９】
従って、この請求項１に係る施錠装置は、針金等を挿入する余地がなくて、不正行為が行いにくいだけでなく、コスト高や遊技領域の縮小を招くことのないものとなっているのである。
【００２０】
また、上記課題を解決するために、請求項２に係る発明の採った手段は、上記請求項１に記載のパチンコ遊技機の施錠装置について、
「前記爪部材の爪ベースに、前記本体部材の開閉方向に向く面を形成したこと」
である。
【００２１】
この請求項２の施錠装置によれば、前記爪部材の爪ベースに、前記本体部材の開閉方向に向く面が形成してあるから、この面によって、施錠された前記爪部材と本体部材との間の、前記本体部材の開閉方向に向かう隙間を覆うことになる。これにより、前記本体部材の後面側の、当該本体部材の開閉方向に向く隙間形成を少なくすることができて、前記本体部材の不正開放をより行いにくくするのである。
【００２２】
従って、この請求項２に係る施錠装置は、上記請求項１のそれと同様な機能を発揮する他、前記本体部材の不正開放をより一層防止し得るものとなっている。
【発明の効果】
【００２３】
以上、説明した通り、請求項１に係る発明においては、
「遊技盤が取り付けられる本体部材と、この本体部材の前面側に配置される前面側部材と、これらの前面側部材及び前記本体部材の施錠を行う施錠装置とを備えたパチンコ遊技機において、
前記施錠装置が、前記本体部材に形成されて前記前面側部材によって覆われる収納空間内に収納される施錠機構と、
この施錠機構に前記本体部材の裏面側に形成した開口部から進入して係合することにより施錠状態を形成し、解錠するためには前記施錠機構に対する解錠操作を必要とする爪部材と、
この爪部材が前記施錠状態になったとき、前記本体部材の開口部を閉塞する閉塞部材と、
を少なくとも備えたこと」
にその構成上の特徴があり、これにより、針金等を挿入する余地がなくて、不正行為が行いにくいだけでなく、コスト高や遊技領域の縮小を招くことのないパチンコ遊技機のための施錠装置を提供することができるのである。
【００２４】
また、請求項２に係る発明においては、上記請求項１に記載のパチンコ遊技機の施錠装置について、
「前記爪部材の爪ベースに、前記本体部材の開閉方向に向く面を形成したこと」
にその構成上の特徴があり、これにより、上記請求項１のそれと同様な効果を有する他、前記本体部材の不正開放を困難にすることのできる施錠装置を提供することができるのである。
【図面の簡単な説明】
【００２５】
【図１】本発明に係る施錠装置を採用したパチンコ遊技機の正面図である。
【図２】同パチンコ遊技機の外枠部材の前面側に本体部材を閉じて、この本体部材の前面側に前面側部材を閉じた状態の斜視図である。
【図３】同パチンコ遊技機の本体部材から前面側部材を開いたときの斜視図である。
【図４】同パチンコ遊技機の外枠部材から本体部材を、またこの本体部材から前面側部材を開いたときの斜視図である。
【図５】同パチンコ遊技機を構成している外枠部材、本体部材、前面側部材、及び施錠機構を分解して示した斜視図である。
【図６】本発明に係る施錠装置の分解斜視図である。
【図７】同施錠装置を構成している爪部材の二種類を、（ａ）と（ｂ）とで示した拡大斜視図である。
【図８】同施錠装置を分解して示した拡大側面図である。
【図９】同施錠装置を構成している施錠機構を分解して示した拡大側面図である。
【図１０】同施錠装置が施錠状態にあるときを示すもので、（ａ）は左側面図、（ｂ）は正面図、（ｃ）は右側面図、（ｄ）は背面図である。
【図１１】同施錠装置が施錠状態にあるときを（ａ）〜（ｄ）の４方向からみた斜視図である。
【図１２】同施錠装置が施錠状態にあるときを拡大して示すもので、（ａ）は平面図、（ｂ）は底面図である。
【図１３】同施錠装置における施錠機構を示すもので、（１）は外枠部材側及び前面側部材側の両爪部材を施錠している状態を示す右側面図、（２）は前面側部材側の爪部材のみを施錠している状態を示す右側面図、（３）は外枠部材側の爪部材のみを施錠している状態を示す右側面図である。
【図１４】同施錠装置における施錠機構の下部を拡大して示すもので、（１）は外枠部材側及び前面側部材側の両爪部材を施錠している状態を示す右側面図、（２）は前面側部材側の爪部材のみを施錠している状態を示す右側面図、（３）は外枠部材側の爪部材のみを施錠している状態を示す右側面図である。
【図１５】同施錠装置における施錠機構の下部を前方から見た状態を拡大して斜視的に示すもので、（１）は外枠部材側及び前面側部材側の両爪部材を施錠している状態を示す斜視図、（２）は前面側部材側の爪部材のみを施錠している状態を示す斜視図、（３）は外枠部材側の爪部材のみを施錠している状態を示す斜視図である。
【図１６】同施錠装置における施錠機構の下部を後方から見た状態を拡大して示すもので、（１）は外枠部材側及び前面側部材側の両爪部材を施錠している状態を示す斜視図、（２）は前面側部材側の爪部材のみを施錠している状態を示す斜視図、（３）は外枠部材側の爪部材のみを施錠している状態を示す斜視図である。
【図１７】本発明の第２実施例に係る施錠装置の分解斜視図である。
【図１８】同施錠装置を分解して示した拡大側面図である。
【図１９】従来のパチンコ遊技機の、外枠部材から本体部材を、またこの本体部材から前面側部材を開いたときの斜視図である。
【図２０】特許文献１に示された施錠機構を示す部分拡大斜視図である。
【発明を実施するための形態】
【００２６】
（実施例１）
次に、上記のように構成した各請求項に係る発明の実施形態を、添付の図面に示したパチンコ遊技機２００で採用している施錠装置１００について説明すると、まず、図１には、本発明の第１実施例に係る施錠装置１００を採用したパチンコ遊技機２００の正面図が示してある。図１に示したパチンコ遊技機２００では、後述する前面枠２２０の前面に取り付けた飾り枠２２１が大きく現れていて、この飾り枠２２１の図示右側中央下部に、本発明に係る施錠装置１００のキーシリンンダ３０のための鍵穴３１が露出させてあり、この鍵穴３１に店員が鍵を差し込んで所定の操作を行うことにより、当該パチンコ遊技機２００の前面側（遊技者側）からの、後述する前面枠２２０及び本体枠１０の開放が行えるようにしてある。前面枠２２０は、これと、その前面に取り付けた上記飾り枠２２１とによって、特許請求の範囲で述べている「前面側部材」を構成するものであり、図２〜図５においては、飾り枠２２１の図示を省略している。
【００２７】
また、本実施形態のパチンコ遊技機２００は、図２〜図４に示したように、ホール（パチンコ遊技場）の「島」に設置固定される外枠２１０と、この外枠２１０の前面側（遊技者側）に配置されて、図示しない遊技盤やその制御基板等が支持されることになる本体枠１０（本体部材）と、この本体枠１０のさらに前面側に配置される前面枠２２０（前面側部材）とを備えている。これらの本体枠１０及び前面枠２２０は、図１〜図４に示したように、外枠２１０の図示左側上下に設けた開閉軸２１１によって、外枠２１０及び本体枠１０に対して開閉可能に支持してある。
【００２８】
本体枠１０は、例えば図４に示したように、開口１０ａを有しているものであり、この開口１０ａ内にて遊技領域を形成することになる遊技盤が当該本体枠１０の裏面側に取り付けられるものである。また、この本体枠１０の後面側には、例えば図１９に示したように、当該パチンコ遊技機２００の遊技内容を決定したり各部分の制御を行う種々な制御基板や機構が組み付けられるものである。そして、この本体枠１０の前面側には、図３〜図６に示したように、当該本体枠１０を上記外枠２１０に対して枢着している開閉軸２１１から最も遠い部分、つまり図示右側に収納部１１が形成してある。
【００２９】
収納部１１は、本体枠１０を合成樹脂等によって成形する際に同時成形されるものであり、図３及び図４に示したように、本体枠１０の高さと同程度の長さで上下方向に位置するものである。また、この収納部１１の図示右側は、本体枠１０の右側壁によって規定されていて、図示左側は、本体枠１０と同時成形した壁部１１ａによって規定されている。この収納部１１の幅を規定している壁部１１ａは、遊技盤が臨んで遊技領域を規定する本体枠１０の開口１０ａの右端縁より僅かの寸法だけ右側に位置していて、この寸法分の拡大可能性を遊技領域に与えている。
【００３０】
そして、この収納部１１内には、後述する施錠機構４０が収納されることになるものであるが、この収納部１１に対しては、図８にも示したように、本体枠１０の後面側に開口させた開口部１２が連通するようになっている。換言すれば、この収納部１１内には、後述する外枠側爪２０（爪部材）が本体枠１０の後面側から開口部１２を通して進入し得るようになっているのであり、本体枠１０を外枠２１０に対して閉じたときには、外枠側爪２０は収納部１１内の施錠機構４０に係合するのである。
【００３１】
この本体枠１０の後面側に形成した開口部１２は、後述する外枠側爪２０の進入及び抜き出しは可能であるが、針金等の不正を行うものの進入を困難にする閉塞部材によって閉塞してある。この閉塞部材としては、外枠側爪２０の後述する爪ベース２１をそのまま利用するのがもっとも簡単で好ましいが、外枠側爪２０の進入を可能にするスリットを形成した合成樹脂板等を使用しても構わない。
【００３２】
一方、当該本体枠１０の前面側には前面枠２２０が配置されるのであり、施錠装置１００による施錠がなされたときに、この前面枠２２０によって本体枠１０及びこれに形成した上記収納部１１の前面側が覆われる。つまり、この収納部１１は、図２に示したような、本体枠１０や前面枠２２０が外枠２１０に対して施錠された状態になったときには、本体枠１０の上下側面及び右側面によってその側面を、前面枠２２０の後面によってその前面を、そしてその後面の開口部１２以外の面を本体枠１０の後面によって覆われることになるものである。なお、後面の開口部１２については、その中に外枠側爪２０が進入しており、かつこの外枠側爪２０を構成している後述する爪ベース２１（閉塞部材）によって覆われるから、施錠装置１００による施錠がなされたときには、この開口部１２は開口しない状態となる。
【００３３】
なお、本体枠１０の後部は、図５にも示したように、本体枠１０の外形を形成する側壁よりも窄まった状態になっていて、この窄まった部分は、図１及び図５の比較から解るように、当該本体枠１０が外枠２１０に対して閉じられたときに、外枠２１０の前面側内に嵌り込むようになっている。
【００３４】
収納部１１内の施錠機構４０に係合する外枠側爪２０は、図７に拡大して示したように、例えば一枚の金属板をプレス加工することによって、爪ベース２１と一体的なものとして形成されるもので、この爪ベース２１を利用することにより、図４、図５、及び図８に示したように、外枠２１０の取付部２１２に取り付けられるものである。なお、この取付部２１２は、図４及び図５に示したように、外枠２１０の開閉軸２１１から遠い位置、つまり外枠２１０の右側壁の内側部分に設けたものであって、その上面を右側壁の前面側端面より後退させてある。
【００３５】
この外枠側爪２０は、例えば金属板からなる爪ベース２１の一部を打ち抜いて、本体枠１０の開閉方向に折曲して形成したものであるが、その折曲形成の仕方は、図７の（ａ）と（ｂ）の二種類がある。
【００３６】
図７の（ａ）では、まず、爪ベース２１を外枠２１０側の取付部２１２を取り囲むような略箱状に折曲するに際して、この爪ベース２１内で開口する切欠部２１ｃを形成しながら外枠側爪２０を切り出し、この外枠側爪２０を取付部２１２とは反対側、つまり本体枠１０の開閉方向に折曲するようにしている。
【００３７】
この図７の（ａ）に示した外枠側爪２０の場合、切欠部２１ｃ以外の爪ベース２１は取付部２１２に対しての固定面２１ａとなるものであり、特に図示右側に見える固定面２１ａには取付穴２１ｂが形成される。この取付穴２１ｂが形成された固定面２１ａと、これと当接面２１ｄを挟んで反対側で平行になっている固定面２１ａとは、仮想線で示した外枠２１０側の取付部２１２を挟み込む挟持部となっていて、当該外枠側爪２０の外枠２１０側に対する固定をより強固に行えるようにしている。
【００３８】
そして、外枠側爪２０が突出している爪ベース２１の一部である面は当接面２１ｄとなっているのであり、この当接面２１ｄは前面側に向く、つまり本体枠１０の開閉方向に向く「面」を形成するものになっているとともに、当該外枠側爪２０及び切欠部２１ｄの周囲を囲んでいる。さらに、この当接面２１ｄは、本発明に係る施錠装置１００によって本体枠１０を外枠２１０に対して閉じたときには、本体枠１０の後面側に開口させてある前述した開口部１２を覆うから、開口部１２を閉塞する閉塞部材ともなっているのである。
【００３９】
これに対して、図７の（ｂ）に示した外枠側爪２０は、取付穴２１ｂが形成されたとは反対側で平行になっている固定面２１ａの一部を切り欠いて形成したもので、本体枠１０の開閉方向に向くように折曲したものである。この場合、取付穴２１ｂを形成した固定面２１ａや、本体枠１０の開口部１２を覆うことになる当接面２１ｄ（閉塞部材）の面積を大きくすることができるから、当該爪ベース２１を介しての外枠２１０側の取付部２１２に対する固定をより強固に行え、開口部１２の閉塞も広い面積で行える。
【００４０】
勿論、上記の爪ベース２１の前面側に向かう面、つまり当接面２１ｄに、本体枠１０の後面にて開口している開口部１２を閉塞する閉塞部材を取り付けるようにして実施してもよい。このような閉塞部材としては、開口部１２から針金等の不正を行う道具の差し込みが行えなくなるような材質のものがよく、さらには、本体枠１０を外枠２１０に対して閉じたときに異音が発生しないようにもできる材質のものがよい。その意味では、この爪ベース２１の当接面２１ｄに取り付けられる閉塞部材としては、合成樹脂板とするのが最も良い。
【００４１】
図７の（ａ）あるいは（ｂ）のいずれにしても、これらのように形成した外枠側爪２０は、一枚の金属板をプレス加工によって簡単に製造することができるのであり、結果として、本発明に係る施錠装置１００、最終的にはこの施錠装置１００を採用したパチンコ遊技機２００の製造コスト低減を図ることができる。
【００４２】
以上のように構成した外枠側爪２０は、本体枠１０を外枠２１０に対して閉じたとき、本体枠１０の収納部１１に収納した施錠機構４０に係合して、施錠状態を形成する。この施錠機構４０には、図８にも示したように、キーシリンンダ３０が組み付けられるものであり、前面枠２２０の後面に取り付けた前面枠側爪５０も進入してくることになるものである。前面枠２２０側の前面枠側爪５０は、図３〜図６に示したように、前面枠２２０の、外枠２１０側の開閉軸２１１から遠い部分の後面側にて後方に向けて突出するもので、図８にも示したように、ベース部材５１の後面に一体化したものである。
【００４３】
この前面枠側爪５０が、前面枠２２０の後面側にて、外枠２１０側の開閉軸２１１から最も遠い部分にて後方に向けて突出するものであるから、前述した外枠側爪２０の場合と同様に、不正が働きにくくなっている。何故なら、上記状態であれば、この前面枠側爪５０と開閉軸２１１との距離が最大限になるから、この前面枠側爪５０あるいはその近傍で不正行為を働いて隙間を形成しようとしても、本体枠１０とこれに閉じられている前面枠２２０との間のどこを採っても、不正を働くための針金等の工具が差し込める程の大きな隙間を殆ど形成することができないからである。
【００４４】
キーシリンンダ３０は、図４、図５及び図１０に示したように、施錠機構４０から前面側に向けて突出するものであり、その鍵穴３１は、図３に示した前面枠２２０側に形成してある開口３２から当該パチンコ遊技機２００の前面側に、図１に示したように露出するものである。本実施形態のキーシリンンダ３０は、鍵穴３１に差し込んだ鍵を左または右に回転させることにより、前面枠２２０のみの、または前面枠２２０が閉じられたままの本体枠１０の解錠を行うものである。
【００４５】
上述した施錠機構４０は、図９にも示したように、第１可動部材４１及び第２可動部材４２を備えたもので、これらの第１可動部材４１及び第２可動部材４２は、図１０〜図１６に示したように、スプリング４４によって互いに連結された状態で当該施錠機構４０を構成しているベース部材４３内に組み込まれるものである。このベース部材４３は、特に図９の左側部分にて示したように、その前面側面（図９で手前に現れている面）に、上述した各前面枠側爪５０が当該ベース部材４３内に進入し得るようにする第２挿入口４３ｂが形成してあり、その後面側面には、各外枠側爪２０が当該ベース部材４３内に進入し得るようにする第１挿入口４３ａが形成してある。
【００４６】
施錠機構４０を構成している第１可動部材４１及び第２可動部材４２は、図８及び図９に示したように、薄くて細長い板状物として形成すればよいものとなっているから、これらの第１可動部材４１及び第２可動部材４２を収納するベース部材４３も、薄くて細長いものとすることができる。以上の結果、これらの第１可動部材４１及び第２可動部材４２、及びこれらを収納するベース部材４３を備えた当該施錠機構４０は、図１０〜図１３に示したように、全体形状が薄くて細長いものとなるのであり、本発明に係る施錠装置１００の全体構成を薄く小さくでき、ひいては、部品組み込みスペースが限られているパチンコ遊技機２００の部品組み込みスペースを有効活用すること、例えば遊技領域の拡大化をも図ることができるのである。
【００４７】
さて、上記ベース部材４３内には、図１２にも示したように、第２可動部材４２が奥に収納され、この第２可動部材４２の外側に第１可動部材４１が収納される。この場合、第１可動部材４１及び第２可動部材４２は、連携ピン４５によって互いに相対移動可能にしてあり、スプリング４４によって元の位置に復帰し得るように繋がれる。各連携ピン４５は、図９に示したように、第１可動部材４１に形成した連携穴４１ｂと第２可動部材４２に形成した連携穴４２ｂを貫通した状態で、かつ相対的に移動可能となるように第１可動部材４１と第２可動部材４２とを連結するものである。一方、スプリング４４は、図９の図示上端を第２可動部材４２側に係止しておき、その全体を第１可動部材４１側の覗穴４１ｄに通すようにして第２可動部材４２上に第１可動部材４１を重ね、その後に図９の図示下端を第１可動部材４１側に係止することによって、両第１可動部材４１及び第２可動部材４２の元位置への復帰を可能にするものである。
【００４８】
また、第１可動部材４１の、図９に示した左側端面には、前面枠２２０の後面側に取り付けてある各前面枠側爪５０が係止される係止部４１ａが複数形成してあり、一方、第２可動部材４２の右側端面には、外枠２１０から前面側に突出している外枠側爪２０が係止される係止部４２ａが形成してある。また、これらの第１可動部材４１及び第２可動部材４２の下部には、キーシリンンダ３０側の操作部が係合する操作穴４１ｃ・４２ｃがそれぞれ形成してある。
【００４９】
以上の施錠機構４０による外枠側爪２０及び前面枠側爪５０の施錠状態が、図１０〜図１３に示してあるが、これらの図１０〜図１３では、外枠２１０、本体枠１０、及び前面枠２２０は省略してある。特に、図１２の（ａ）及び（ｂ）では、施錠機構４０による外枠側爪２０及び前面枠側爪５０の施錠状態の平面及び底面が拡大して示してあるが、この図１２の（ａ）及び（ｂ）から分かるように、外枠側爪２０及び前面枠側爪５０が施錠機構４０を構成しているベース部材４３内に進入しているし、その一部が後述するように、係止部４１ａ・４２ａに係止しているのである。この施錠機構４０による外枠側爪２０及び前面枠側爪５０の施錠状態は、図１４〜図１６の各（１）に部分的に拡大して示してある。
【００５０】
図１４は、上記の施錠機構４０による施錠状態と、この施錠状態にある施錠機構４０のキーシリンンダ３０による解錠状態とを、一個の外枠側爪２０及び前面枠側爪５０について説明するものであり、この図１４の（１）は、外枠側爪２０及び前面枠側爪５０が共に施錠状態にある場合を、図１４の（２）は、外枠側爪２０が解錠状態で前面枠側爪５０が施錠状態にある場合を、そして図１４の（３）は、外枠側爪２０が施錠状態で前面枠側爪５０が解錠状態にある場合を、それぞれ示している。この図１４中に付してある矢印と×印は、これを付した部材が矢印方向には抜けない、つまり施錠状態にあることを示し、矢印と○印は、これを付した部材が矢印方向に抜ける、つまり解錠状態にあることを示している。
【００５１】
図１４の（１）では、外枠側爪２０及び前面枠側爪５０が共に施錠状態にある場合が示してあるが、外枠側爪２０及び前面枠側爪５０の先端部が共に施錠機構４０を構成しているベース部材４３内に進入しているとともに、連携穴４２ｂの操作がなされていないことによって、第１可動部材４１及び第２可動部材４２がスプリング４４の復帰力により互いに重なり合うように引き合わされている。
【００５２】
以上の結果、図１４〜図１６の各（１）に示したように、外枠側爪２０の係止部に第２可動部材４２側の係止部４２ａが係合するとともに、前面枠側爪５０の係止部に第１可動部材４１側の係止部４１ａが係合して、これらの外枠側爪２０及び前面枠側爪５０は当該施錠機構４０によって施錠状態が形成されているのである。
【００５３】
図１４の（２）では、外枠側爪２０が解錠状態で前面枠側爪５０が施錠状態にある場合が示してあるが、外枠側爪２０及び前面枠側爪５０の先端部が共に施錠機構４０を構成しているベース部材４３内に進入しているとともに、キーシリンンダ３０による外枠側爪２０の解錠操作がなされていること（図１６の（２）参照）によって、スプリング４４の復帰力に抗して第１可動部材４１が引き上げられる。なお、第２可動部材４２は引き上げられていない。
【００５４】
以上の結果、図１４〜図１６の各（２）に示したように、外枠側爪２０の係止部から第２可動部材４２側の係止部４２ａが離れて係合状態が解除されて、外枠側爪２０の解錠状態が形成される。勿論、前面枠側爪５０の係止部への第１可動部材４１側の係止部４１ａの係合は維持されたままであるから、前面枠側爪５０の施錠状態は当該施錠機構４０によって維持されたままとなるのである。
【００５５】
図１４の（３）では、外枠側爪２０が施錠状態で前面枠側爪５０が解錠状態にある場合が示してあるが、外枠側爪２０及び前面枠側爪５０の先端部が共に施錠機構４０を構成しているベース部材４３内に進入しているとともに、キーシリンンダ３０による前面枠側爪５０の解錠操作がなされていること（図１６の（３）参照）によって、スプリング４４の復帰力に抗して第２可動部材４２が引き下げられる。なお、第１可動部材４１は引き下げられていない。
【００５６】
以上の結果、図１４〜図１６の各（３）に示したように、前面枠側爪５０の係止部から第１可動部材４１側の係止部４１ａが離れて係合状態が解除されて、前面枠側爪５０の解錠状態が形成される。勿論、外枠側爪２０の係止部への第２可動部材４２側の係止部４２ａの係合は維持されたままであるから、外枠側爪２０の施錠状態は当該施錠機構４０によって維持されたままとなるのである。
【００５７】
以上のキーシリンンダ３０での解錠操作時において、当該キーシリンンダ３０が有している爪部は、当該キーシリンンダ３０を中心にして回動するし、この爪部は、図１６の（１）〜（３）に示したように、各第１可動部材４１及び第２可動部材４２の操作穴４１ｃ・４２ｃに選択的に係合するため、各第１可動部材４１または第２可動部材４２の引き上げや引き下げが選択的に行われるのである。当該キーシリンンダ３０が有している爪部の、当該キーシリンンダ３０を中心にした回動方向の選択は、キーシリンンダ３０の鍵穴３１に差し込んだ鍵を左に回すか、右に回すかによって決められる。
【００５８】
（実施例２）
図１７及び図１８には、本発明の第２実施例に係る施錠装置１００の要部が示してある。この第２実施例では、次に詳述する部分以外は、上記第１実施例で説明した遊技機２００及び施錠装置１００と同様な構成部材を有しているものである。
【００５９】
この第２実施例の、上記第１実施例と異なる点は、「特許請求の範囲」で述べている「本体部材に形成した開口部」である開口部１２が、図１７に示したように、本体枠１０（本体部材）の前面側に形成されており、この開口部１２から施錠機構４０に向けて進入して係合する前面枠側爪５０（第１実施例では開口部１２から施錠機構４０に向けて進入して係合するのは外枠側爪２０であった）を、図１８に示したように、前面枠２２０側の取付部２２２に取り付けたことである。
【００６０】
この第２実施例では、施錠機構４０が収納されて前面枠２２０（前面枠部材）によって覆われる収納部１１（収納空間）は、図６と図１７の比較から分かるように、実施例１で採用したのと同様であるが、この収納部１１の前面側に開口している部分が開口部１２となっているのである。また、この第２実施例で採用されている前面枠側爪５０は、上記第１実施例で採用した外枠側爪２０と同様な構成を有しているものである。
【００６１】
この前面枠側爪５０は、図７の（ａ）に示した外枠側爪２０と同様に、まず、爪ベースを前面枠２２０側の取付部２２２を取り囲むような略箱状に折曲するに際して、この爪ベース内で開口する切欠部を形成しながら前面枠側爪５０を切り出し、この前面枠側爪５０を取付部２２２とは反対側、つまり本体枠１０の開閉方向に折曲するようにしている。
【００６２】
この前面枠側爪５０の場合、切欠部以外の爪ベースは取付部２２２に対しての固定面となるものであり、この固定面には取付穴が形成される。この取付穴が形成された固定面と、これと当接面を挟んで反対側で平行になっている固定面とは、図１８中の仮想線で示した前面枠２２０側の取付部２２２を挟み込む挟持部となっていて、当該前面枠側爪５０の前面枠２２０側に対する固定をより強固に行えるようにしている。
【００６３】
そして、前面枠側爪５０が突出している爪ベースの一部である面は当接面となっているのであり、この当接面は前面側に向く、つまり本体枠１０の開閉方向に向く「面」を形成するものになっているとともに、当該前面枠側爪５０及び切欠部の周囲を囲んでいる。
【００６４】
さらに、この前面枠側爪５０の当接面は、本発明に係る施錠装置１００によって前面枠２２０を本体枠１０に対して閉じたときには、本体枠１０の前面側に開口させてある前述した開口部１２を覆うから、開口部１２を閉塞する閉塞部材ともなっているのである。
【００６５】
（その他の実施例）
勿論、本発明は、上記の各実施例に限定されるものではなく、その目的、及び特許請求の範囲に記載された発明特定事項の範囲を逸脱しない限りにおいて、種々変更することが可能である。例えば、前述したように、開口部１２を閉塞する閉塞部材を、外枠側爪２０または前面枠側爪５０に一体的に設ける場合の他、これらの外枠側爪２０または前面枠側爪５０とは別体的に設けたり、これらの外枠側爪２０または前面枠側爪５０が取り付けられる取付部２１２または２２２側に、一体的または脱着自在に設けるように実施してもよい。
【００６６】
また、上述した施錠機構４０では、第１可動部材４１及び第２可動部材４２を備えたもので、これらの第１可動部材４１及び第２可動部材４２を、一本のスプリング４４によって互いに連結された状態で当該施錠機構４０を構成しているベース部材４３内に組み込まれるものとしたものであるが、スプリング４４は二本採用して実施してもよい。この場合、各スプリング４４は、上記第１可動部材４１及び第２可動部材４２と、ベース部材４３の二カ所にそれぞれ連結して、各第１可動部材４１及び第２可動部材４２のベース部材４３に対する原位置への復帰を可能にするようにして実施してもよい。
【符号の説明】
【００６７】
１００    施錠装置
１０    本体枠（本体部材）
１０ａ  開口
１１    収納部（収納空間）
１１ａ  壁部
１２    開口部
２０    外枠側爪（爪部材）
２１    爪ベース
２２    固定面
２２ａ  取付穴
２３    挟持部
２４    切欠部
３０    キーシリンンダ
３１    鍵穴
３２    開口
４０    施錠機構
４１    第１可動部材
４１ａ  係止部
４１ｂ  連携穴
４１ｃ  操作穴
４１ｄ  覗穴
４２    第２可動部材
４２ａ  係止部
４２ｂ  連携穴
４２ｃ  操作穴
４３    ベース部材
４３ａ  第１挿入口
４３ｂ  第２挿入口
４４    スプリング
４５    連携ピン
５０    前面枠側爪（爪部材）
５１    ベース部材
２００    パチンコ遊技機
２１０    外枠（外枠部材）
２１１    開閉軸
２１２    取付部
２２０    前面枠（前面側部材）
２２１    飾り枠（前面側部材）
【図１】
2010273771.tif 000003
【図２】
2010273771.tif 000004
【図３】
2010273771.tif 000005
【図４】
2010273771.tif 000006
【図５】
2010273771.tif 000007
【図６】
2010273771.tif 000008
【図７】
2010273771.tif 000009
【図８】
2010273771.tif 000010
【図９】
2010273771.tif 000011
【図１０】
2010273771.tif 000012
【図１１】
2010273771.tif 000013
【図１２】
2010273771.tif 000014
【図１３】
2010273771.tif 000015
【図１４】
2010273771.tif 000016
【図１５】
2010273771.tif 000017
【図１６】
2010273771.tif 000018
【図１７】
2010273771.tif 000019
【図１８】
2010273771.tif 000020
【図１９】
2010273771.tif 000021
【図２０】
2010273771.tif 000022